(57)【要約】【課題】不読要因を簡単な構成でリアルタイムに解析し、不読要因の解決を迅速に実施し得るコード解析システムを提供する。【解決手段】解析側端末１１は、受光センサ２８により撮像されているコード画像を通信インタフェース１６等を介してリアルタイムに（時間差無く）取得し、このように取得されるコード画像を表示部１５によりリアルタイムに表示する。そして、解析側端末１１は、表示部１５に表示されるコード画像に含まれる情報コードＣに基づいて当該情報コードＣのデコードが困難である場合にその不読要因を解析し、上記不読要因を解決するための解決情報を信インタフェース１６等を介して光学的情報読取装置２０に出力する。そして、光学的情報読取装置２０は、コード画像に含まれる情報コードＣのデコードが困難である場合に、上記解決情報に応じて解析側端末１１により遠隔操作されて、当該情報コードＣをデコードする。【選択図】図５
2012118779.tif 000002
【特許請求の範囲】
【請求項１】
撮像手段およびデコード手段を備え前記撮像手段により情報コードを含めたコード画像を撮像して前記デコード手段によりデコードすることで当該情報コードを読み取る読取装置と、この読取装置を遠隔操作可能な解析側端末とを有するコード解析システムにおいて、
前記解析側端末は、
前記読取装置と通信するための通信手段であって、前記撮像手段により撮像されている前記コード画像をリアルタイムに取得可能な通信手段と、
前記通信手段により取得される前記コード画像をリアルタイムに表示する解析側表示手段と、
前記解析側表示手段に表示される前記コード画像に含まれる前記情報コードに基づいて、当該情報コードのデコードが困難である場合にその不読要因を解析する解析手段と、
前記解析手段による解析結果に基づいて前記不読要因を解決するための解決情報を前記通信手段を介して前記読取装置に出力する不読要因解決手段と、
を備え、
前記読取装置は、前記コード画像に含まれる前記情報コードのデコードが困難である場合に、前記不読要因解決手段からの前記解決情報に応じて前記解析側端末により遠隔操作されて、当該情報コードをデコードすることを特徴とするコード解析システム。
【請求項２】
前記読取装置は、前記不読要因および前記解決情報の少なくともいずれか１つを、当該読取装置の使用者に通知する通知手段を備えることを特徴とする請求項１に記載のコード解析システム。
【請求項３】
前記解決情報は、前記不読要因が前記コード画像に含まれる情報コードにあることから、この情報コードの一部が修正された修正済コード情報であり、
前記読取装置は、前記コード画像に含まれる前記情報コードに基づいて当該情報コードのデコードが困難である場合に、前記修正済コード情報に基づいて、前記情報コードをデコードすることを特徴とする請求項１または２に記載のコード解析システム。
【請求項４】
前記不読要因解決手段では、前記修正済コード情報が、前記解析側表示手段に表示されたコード画像の一部を修正することで生成され、
前記読取装置は、前記解析側端末による遠隔操作により、前記不読要因解決手段にて修正されるコード画像がリアルタイムに表示される読取側表示手段を備えることを特徴とする請求項３に記載のコード解析システム。
【請求項５】
前記読取側表示手段に表示される修正済コード情報に応じたコード画像の表示状態を調整可能な表示状態調整手段を備えることを特徴とする請求項４に記載のコード解析システム。
【請求項６】
前記読取側表示手段に表示される修正済コード情報に応じたコード画像を印刷するための印刷手段を備えることを特徴とする請求項４または５に記載のコード解析システム。
【請求項７】
前記解決情報は、前記不読要因が前記読取装置にあることから前記撮像手段の撮像条件を変更するためのパラメータ変更情報であり、
前記読取装置は、前記コード画像に含まれる前記情報コードに基づいて当該情報コードのデコードが困難である場合に、前記パラメータ変更情報に応じて前記解析側端末により遠隔操作されて、前記撮像手段の撮像条件を調整する撮像条件調整手段を備えることを特徴とする請求項１または２に記載のコード解析システム。
【請求項８】
前記解決情報は、前記不読要因が前記デコード手段により実行されるプログラムにあることから当該プログラムを修正するための修正情報であり、
前記読取装置は、前記コード画像に含まれる前記情報コードに基づいて当該情報コードのデコードが困難である場合に、前記修正情報に応じて前記解析側端末により遠隔操作されて、前記プログラムを修正するプログラム修正手段を備えることを特徴とする請求項１または２に記載のコード解析システム。
【発明の詳細な説明】
【技術分野】
【０００１】
本発明は、情報コードを読み取る読取装置に対して当該情報コードがデコードできない場合にその不読要因を解析するコード解析システムに関するものである。
【背景技術】
【０００２】
従来、情報コードを読み取る読取装置に対して当該情報コードがデコードできない場合にその不読要因を解析するコード解析システムに関する技術として、下記特許文献１に示すコード読取装置が知られている。このコード読取装置では、バーコードスキャナから取り込んだバーコードデータが正しく読み込めていなければ、読取ったバーコードと同じコード体系の模擬バーコードが液晶ディスプレイに表示される。そして、オペレータが液晶ディスプレイに表示されている模擬バーコードをバーコードスキャナにより取り込んだ場合に、バーコードデータとして正しく読み込めていれば、液晶ディスプレイにバーコードスキャナが正常であることが表示され、バーコードデータとして正しく読み込めていなければ、バーコードスキャナに何らかの異常があることが表示される。
【先行技術文献】
【特許文献】
【０００３】
【特許文献１】特開２００７−１７２３４７号公報
【発明の概要】
【発明が解決しようとする課題】
【０００４】
ところで、製品の流通過程等において製品に表示されているバーコードや二次元コード等の情報コードがバーコードリーダ等の光学的に情報を読み取る読取装置により読み取れない場合には、その不読要因がわからないために、その情報コードまたは読取装置が不読要因を解析可能な開発拠点等の解析部署に送付される。この解析部署では、受け取った情報コードを手元の読取装置で読み取らせて不読要因を解析したり、受け取った読取装置を調査して不読要因を解析する。そして、不読要因が解析されると、その解決策や解析結果が対象読取装置の使用者に報告される。
【０００５】
このように、情報コードまたは読取装置を解析部署に送付してから解析等するので、解決策や解析結果を対象読取装置の使用者に報告するまでに時間がかかるという問題がある。また、上記特許文献１に示すコード読取装置では、不読要因が、読み取り対象側（バーコード側）と読み取り機器側（バーコードスキャナ側）とのどちらにあるのかをその場で判定できても、その不読要因自体がどのようなものでありその解決策について、リアルタイムに解析することができず、上記と同様に解決策や解析結果を使用者に報告するまでに時間がかかるという問題があった。
【０００６】
本発明は、上述した課題を解決するためになされたものであり、その目的とするところは、不読要因を簡単な構成でリアルタイムに解析し、不読要因の解決を迅速に実施し得るコード解析システムを提供することにある。
【課題を解決するための手段】
【０００７】
上記目的を達成するため、特許請求の範囲に記載の請求項１のコード解析システムでは、撮像手段およびデコード手段を備え前記撮像手段により情報コードを含めたコード画像を撮像して前記デコード手段によりデコードすることで当該情報コードを読み取る読取装置と、この読取装置を遠隔操作可能な解析側端末とを有するコード解析システムにおいて、前記解析側端末は、前記読取装置と通信するための通信手段であって、前記撮像手段により撮像されている前記コード画像をリアルタイムに取得可能な通信手段と、前記通信手段により取得される前記コード画像をリアルタイムに表示する解析側表示手段と、前記解析側表示手段に表示される前記コード画像に含まれる前記情報コードに基づいて、当該情報コードのデコードが困難である場合にその不読要因を解析する解析手段と、前記解析手段による解析結果に基づいて前記不読要因を解決するための解決情報を前記通信手段を介して前記読取装置に出力する不読要因解決手段と、を備え、前記読取装置は、前記コード画像に含まれる前記情報コードのデコードが困難である場合に、前記不読要因解決手段からの前記解決情報に応じて前記解析側端末により遠隔操作されて、当該情報コードをデコードすることを特徴とする。なお、情報コードのデコードが困難である場合とは、情報コードを複数回デコードしても読み取りが全て失敗する場合や、複数回デコードしても読み取りが成功しにくい場合を含むものとする。
【０００８】
請求項２の発明は、請求項１に記載のコード解析システムにおいて、前記読取装置は、前記不読要因および前記解決情報の少なくともいずれか１つを、当該読取装置の使用者に通知する通知手段を備えることを特徴とする。
【０００９】
請求項３の発明は、請求項１または２に記載のコード解析システムにおいて、前記解決情報は、前記不読要因が前記コード画像に含まれる情報コードにあることから、この情報コードの一部が修正された修正済コード情報であり、前記読取装置は、前記コード画像に含まれる前記情報コードに基づいて当該情報コードのデコードが困難である場合に、前記修正済コード情報に基づいて、前記情報コードをデコードすることを特徴とする。
【００１０】
請求項４の発明は、請求項３に記載のコード解析システムにおいて、前記不読要因解決手段では、前記修正済コード情報が、前記解析側表示手段に表示されたコード画像の一部を修正することで生成され、前記読取装置は、前記解析側端末による遠隔操作により、前記不読要因解決手段にて修正されるコード画像がリアルタイムに表示される読取側表示手段を備えることを特徴とする。
【００１１】
請求項５の発明は、請求項４に記載のコード解析システムにおいて、前記読取側表示手段に表示される修正済コード情報に応じたコード画像の表示状態を調整可能な表示状態調整手段を備えることを特徴とする。
【００１２】
請求項６の発明は、請求項４または５に記載のコード解析システムにおいて、前記読取側表示手段に表示される修正済コード情報に応じたコード画像を印刷するための印刷手段を備えることを特徴とする。
【００１３】
請求項７の発明は、請求項１または２に記載のコード解析システムにおいて、前記解決情報は、前記不読要因が前記読取装置にあることから前記撮像手段の撮像条件を変更するためのパラメータ変更情報であり、前記読取装置は、前記コード画像に含まれる前記情報コードに基づいて当該情報コードのデコードが困難である場合に、前記パラメータ変更情報に応じて前記解析側端末により遠隔操作されて、前記撮像手段の撮像条件を調整する撮像条件調整手段を備えることを特徴とする。
【００１４】
請求項８の発明は、請求項１または２に記載のコード解析システムにおいて、前記解決情報は、前記不読要因が前記デコード手段により実行されるプログラムにあることから当該プログラムを修正するための修正情報であり、前記読取装置は、前記コード画像に含まれる前記情報コードに基づいて当該情報コードのデコードが困難である場合に、前記修正情報に応じて前記解析側端末により遠隔操作されて、前記プログラムを修正するプログラム修正手段を備えることを特徴とする。
【発明の効果】
【００１５】
請求項１の発明では、解析側端末は、読取装置の撮像手段により撮像されているコード画像を通信手段によりリアルタイムに（時間差無く）取得し、このように取得されるコード画像を解析側表示手段によりリアルタイムに表示する。そして、解析側端末は、解析側表示手段に表示されるコード画像に含まれる情報コードに基づいて当該情報コードのデコードが困難である場合にその不読要因を解析手段により解析し、上記不読要因を解決するための解決情報を不読要因解決手段により通信手段を介して読取装置に出力する。そして、読取装置は、コード画像に含まれる情報コードのデコードが困難である場合に、不読要因解決手段からの解決情報に応じて解析側端末により遠隔操作されて、当該情報コードをデコードする。
【００１６】
これにより、読取装置にて撮像されたコード画像に含まれる情報コードのデコードが困難である場合には、このコード画像が解析側端末の解析側表示手段にリアルタイムに表示されるので、対象の情報コードまたは読取装置が解析部署等に送付される場合と比較して、その不読要因を迅速に解析することができる。そして、この不読要因を解決するための解決情報が読取装置に出力されて、解決情報に応じて解析側端末により読取装置が遠隔操作されるので、解決情報に応じた不読要因の解決が迅速に実施されて、デコードが困難とされた情報コードであっても確実にデコードすることができる。
したがって、読取装置に不読要因を解析・解決する機能を持たせることなく、不読要因を簡単な構成でリアルタイムに解析し、不読要因の解決を迅速に実施することができる。
【００１７】
請求項２の発明では、通知手段により、不読要因および解決情報の少なくともいずれか１つが、当該読取装置の使用者に通知されるため、当該使用者は、不読要因または解決情報の内容を迅速に認識することができる。
【００１８】
請求項３の発明では、読取装置は、不読要因がコード画像に含まれる情報コードにあることから当該情報コードのデコードが困難である場合に、解決情報として情報コードの一部が修正された修正済コード情報に基づいて、当該情報コードをデコードする。これにより、不読要因が情報コードにある場合でも、修正済コード情報に基づいてデコードすることで、不読要因の解決を迅速に実施することができる。
【００１９】
請求項４の発明では、不読要因解決手段により、修正済コード情報が、解析側表示手段に表示されたコード画像の一部を修正することで生成され、読取装置の読取側表示手段では、解析側端末による遠隔操作により、不読要因解決手段にて修正されるコード画像がリアルタイムに表示される。これにより、解析側表示手段に表示されたコード画像の一部が修正されると、そのまま読取側表示手段に表示されるコード画像が修正されるので、不読要因やその解決情報（修正済コード情報）を当該読取装置の使用者に対して迅速であって視覚的に知らせることができる。
【００２０】
請求項５の発明では、表示状態調整手段により、読取側表示手段に表示される修正済コード情報に応じたコード画像の表示状態が調整可能である。このため、読取側表示手段と読取側表示手段とに表示範囲や解像度等の違いがあるために読取側表示手段に修正されたコード画像が好適に表示されない場合であっても、表示状態調整手段により読取側表示手段に表示されるコード画像の拡大・縮小や移動等によりその表示状態を調整することで、必要なコード画像の領域の一部または全部を読取側表示手段に好適に表示させることができる。
【００２１】
請求項６の発明では、印刷手段により、読取側表示手段に表示される修正済コード情報に応じたコード画像を印刷することができる。このため、修正されたコード画像を印刷して、印刷された情報コードを読取装置により読み取ってデコードすることで、不読要因の解決を迅速に実施することができる。
【００２２】
請求項７の発明では、読取装置は、不読要因が読取装置にあることから情報コードのデコードが困難である場合に、解決情報として撮像手段の撮像条件、例えば、撮像時の照明光の照度等を変更するためのパラメータ変更情報に基づいて撮像手段の撮像条件を撮像条件調整手段により調整して、当該情報コードをデコードする。これにより、不読要因が読取装置またはその撮像手段にある場合でも、パラメータ変更情報に基づいて撮像手段の撮像条件を調整してデコードすることで、不読要因の解決を迅速に実施することができる。
【００２３】
請求項８の発明では、読取装置は、不読要因がデコード手段により実行されるプログラムにあることから情報コードのデコードが困難である場合に、解決情報としてデコード手段により実行されるプログラムの修正情報に基づいて当該プログラムを修正して、当該情報コードをデコードする。これにより、不読要因が上記プログラムにある場合でも、修正情報に基づいてプログラムを修正してデコードすることで、不読要因の解決を迅速に実施することができる。
【図面の簡単な説明】
【００２４】
【図１】本実施形態に係るコード解析システムの概略構成を示す説明図である。
【図２】図１の光学的情報読取装置の電気的構成を示すブロック図である。
【図３】図１の解析側端末の電気的構成を示すブロック図である。
【図４】図３の制御回路にて実施される不読要因解決処理の流れを例示するフローチャートである。
【図５】不読要因が情報コードにある場合を例示するタイミングチャートである。
【図６】図３の表示部の表示状態を示す説明図であり、図６（Ａ）は、修正前の情報コードを含めたコード画像が表示される表示状態を示し、図６（Ｂ）は、情報コードの修正部位が表示される表示状態を示し、図６（Ｃ）は、修正後の情報コードを含めたコード画像が表示される表示状態を示す。
【図７】図２の表示部の表示状態を示す説明図であり、図７（Ａ）は、調整前の表示状態を示し、 図７（Ｂ）は、調整後の表示状態を示す。
【図８】不読要因が光学的情報読取装置にある場合を例示するタイミングチャートである。
【図９】不読要因がデコード用プログラムにある場合を例示するタイミングチャートである。
【発明を実施するための形態】
【００２５】
以下、本発明のコード解析システムを具現化した一実施形態について図を参照して説明する。図１は、本実施形態に係るコード解析システム１０の概略構成を示す説明図である。図２は、図１の光学的情報読取装置２０の電気的構成を示すブロック図である。図３は、図１の解析側端末１１の電気的構成を示すブロック図である。
【００２６】
本実施形態に係るコード解析システム１０は、バーコードなどの一次元コードや二次元コード等の情報コードＣを光学的に読み取る光学的情報読取装置２０に対して、その不読要因の解析・解決を実施するために当該光学的情報読取装置２０を遠隔操作可能な解析側端末１１を有するように構成されている。
【００２７】
まず、光学的情報読取装置２０の構成について図面を参照して説明する。
光学的情報読取装置２０は、流通過程等において製品または梱包などに表示された情報コードＣを光学的に読み取ることで必要な情報を取得する読取装置である。この光学的情報読取装置２０は、様々な流通過程等にて作業者による情報コードＣの読み取り作業実施時に使用される。
【００２８】
図２に示すように、光学的情報読取装置２０は、ケースの内部に回路部が収容されてなるものであり、この回路部は、主に、照明光源２１、受光センサ２８、結像レンズ２７等の光学系と、メモリ３５、制御回路４０、トリガースイッチ４２等のマイクロコンピュータ（以下「マイコン」という）系と、から構成されている。
【００２９】
光学系は、投光光学系と、受光光学系とに分かれている。投光光学系を構成する照明光源２１は、照明光Ｌｆを発光可能な照明光源として機能するもので、例えば、赤色のＬＥＤとこのＬＥＤの出射側に設けられるレンズとから構成されている。なお、図１および図２では、情報コードＣが表示された対象物Ｒに向けて照明光Ｌｆを照射する例を概念的に示している。
【００３０】
受光光学系は、受光センサ２８、結像レンズ２７、反射鏡（図示略）などによって構成されている。受光センサ２８は、ＣＣＤエリアセンサとして構成されるものであり、情報コードＣまたは対象物Ｒに照射されて反射した反射光Ｌｒを受光可能に構成されている。この受光センサ２８は、結像レンズ２７を介して入射する入射光を受光可能にプリント配線板（図示略）に実装されている。なお、受光センサ２８は、特許請求の範囲に記載の「撮像手段」の一例に相当する。
【００３１】
結像レンズ２７は、外部から読取口（図示略）を介して入射する入射光を集光して受光センサ２８の受光面２８ａに像を結像可能な結像光学系として機能するものである。本実施形態では、照明光源２１から照射された照明光Ｌｆが情報コードにて反射した後、この反射光Ｌｒを結像レンズ２７で集光し、受光センサ２８の受光面２８ａにコード像を結像させている。
【００３２】
マイコン系は、増幅回路３１、Ａ／Ｄ変換回路３３、メモリ３５、アドレス発生回路３６、同期信号発生回路３８、制御回路４０、キー操作部４１、トリガースイッチ４２、発光部４３、ブザー４４、バイブレータ４５、表示部４６、通信インタフェース４８等から構成されている。
【００３３】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、生成されてメモリ３５に入力されると、所定のコード画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３４】
制御回路４０は、光学的情報読取装置２０全体を制御可能なマイコンによって構成されており、ＣＰＵ、システムバス、入出力インタフェース等を有するとともに、情報処理機能を備えており、メモリ３５とともに情報処理装置を構成している。本実施形態では、制御回路４０に対し、キー操作部４１、トリガースイッチ４２、発光部４３、ブザー４４、バイブレータ４５、表示部４６、通信インタフェース４８等が接続されている。そして、メモリ３５に記憶された画像データに基づき、制御回路４０にてデコード処理が行われる。このデコード処理には、ＣＯＤＥ３９やＮＷ−７などの２値レベルコードなどで実施される公知のデコード処理と同様の処理を用いることができる。具体的には、撮像画像において、コードらしき画像が配置される領域を特定し、この領域において所定の横方向（受光センサ２８の長手方向に対応する画素方向）に走査して明色領域及び暗色領域が特定される。そして、制御回路４０にて行われたデコード処理の結果が、メモリ３５の所定のデコード結果格納領域に格納される。なお、制御回路４０は、特許請求の範囲に記載の「デコード手段」の一例に相当し得る。
【００３５】
制御回路４０は、キー操作部４１の操作に応じて入力される操作信号を受けてこの操作信号の内容に応じた動作を行う。また、制御回路４０は、例えば、トリガースイッチ４２の監視や管理、情報コードの読み取りに関する情報を報知するインジケータとして機能する発光部４３の点灯・消灯、ビープ音やアラーム音を発生可能なブザー４４の鳴動のオンオフ、当該光学的情報読取装置２０の作業者に伝達し得る振動を発生可能なバイブレータ４５の駆動制御等を可能にしている。
【００３６】
表示部４６は、例えば、液晶表示器などからなり、制御回路４０によってその表示内容が制御されるように構成されている。この表示部４６は、制御回路４０が有するいわゆるViewFinder機能の作動時には、受光センサ２８により撮像された情報コードＣを含めたコード画像が表示される。また、表示部４６は、キー操作部４１の操作に応じて制御回路４０により制御されて、上記コード画像の拡大・縮小や移動等によりその表示状態が調整可能に構成されている。なお、表示部４６は、特許請求の範囲に記載の「読取側表示手段」の一例に相当し、キー操作部４１は、特許請求の範囲に記載の「表示状態調整手段」の一例に相当し得る。
【００３７】
通信インタフェース４８は、解析側端末１１等の外部装置と通信するためのインターフェースであり、外部装置と有線通信を行う有線通信部、或いは無線通信を行う無線通信部、若しくはこれら両方を備えた構成をなしている。特に、通信インタフェース４８は、解析側端末１１との間でのデータ通信を行う場合にインターネットＮ等に接続される所定の基地局（図示略）を介して解析側端末１１と通信するように構成されている。
【００３８】
次に、解析側端末１１の構成について図面を参照して説明する。
解析側端末１１は、光学的情報読取装置２０や読取対象である情報コード等を開発する開発拠点等の解析部署に設置される端末である。この解析側端末１１は、流通過程等に配置された光学的情報読取装置２０を遠隔操作するために、いわゆるRemote Desktop機能を有している。
【００３９】
図３に示すように、解析側端末１１の筐体内には、当該解析側端末１１全体を制御する制御回路１２が設けられている。この制御回路１２は、マイコンを主体として構成されるものであり、ＣＰＵ、システムバス、入出力インターフェース等を有しており、メモリ１３とともに情報処理装置を構成し得るもので情報処理機能を有している。このメモリ１３には、後述する不読要因解決処理を実施するためのプログラム等が予め格納されている。
【００４０】
また、制御回路１２は、不読要因解決処理を実施することにより、光学的情報読取装置２０を遠隔操作するとともに、デコードが困難であるとされた情報コードＣの不読要因を解析し、その不読要因を解決するための解決情報を当該光学的情報読取装置２０に出力するように構成されている。なお、制御回路１２は、特許請求の範囲に記載の「解析手段」および「不読要因解決手段」の一例に相当し得る。
【００４１】
制御回路１２には、操作部１４、表示部１５および通信インタフェース１６などが接続されている。操作部１４は、キーボードやマウスなどからなり、その操作に応じた情報が制御回路１２に入力されるように構成されている。
【００４２】
表示部１５は、例えば液晶表示器などからなり、制御回路１２によってその表示内容が制御されるように構成されている。特に、表示部１５は、制御回路１２にて実施される不読要因解決処理により、光学的情報読取装置２０の受光センサ２８にて撮像されるコード画像が、リアルタイムに（時間差無く）表示されるように構成されている。なお、表示部１５は、特許請求の範囲に記載の「解析側表示手段」の一例に相当し得る。
【００４３】
通信インタフェース１６は、光学的情報読取装置２０等の外部装置と通信するためのインターフェースであり、外部装置と有線通信を行う有線通信部、或いは無線通信を行う無線通信部、若しくはこれら両方を備えた構成をなしている。この通信インタフェース１６は、インターネットＮ等に接続されることで、同じくインターネットＮ等に接続された光学的情報読取装置２０との間でデータ通信を行う。特に、通信インタフェース１６は、光学的情報読取装置２０の受光センサ２８により撮像されているコード画像をリアルタイムに取得可能に構成されている。なお、通信インタフェース１６は、特許請求の範囲に記載の「通信手段」の一例に相当し得る。
【００４４】
次に、光学的情報読取装置２０にて撮像した情報コードＣのデコードが困難となった場合に、その不読要因の解析・解決を解析側端末１１にて実施する不読要因解決処理について、図４〜図９を用いて詳細に説明する。図４は、制御回路１２にて実施される不読要因解決処理の流れを例示するフローチャートである。図５は、不読要因が情報コードＣにある場合を例示するタイミングチャートである。図６は、表示部１５の表示状態を示す説明図であり、図６（Ａ）は、修正前の情報コードＣを含めたコード画像が表示される表示状態を示し、図６（Ｂ）は、情報コードＣの修正部位が表示される表示状態を示し、図６（Ｃ）は、修正後の情報コードＣを含めたコード画像が表示される表示状態を示す。図７は、表示部４６の表示状態を示す説明図であり、図７（Ａ）は、調整前の表示状態を示し、図７（Ｂ）は、調整後の表示状態を示す。図８は、不読要因が光学的情報読取装置２０にある場合を例示するタイミングチャートである。図９は、不読要因がデコード用プログラムにある場合を例示するタイミングチャートである。
【００４５】
まず、不読要因がコード画像に含まれる情報コードＣにあることから当該情報コードＣのデコードが困難である場合について、図４〜図７を用いて説明する。ここで、不読要因が情報コードＣにある場合とは、例えば、印刷ムラ等によりコードの一部が欠けている場合やコードの一部が他部と比べて薄く表示される場合などが想定される。
【００４６】
解析部署にて解析側端末１１を管理する管理者に対して、光学的情報読取装置２０を使用する作業者から不読の報せが連絡されると（Ｓ１０１）、管理者は、解析側端末１１により上記光学的情報読取装置２０に対して遠隔操作可能にログインする（Ｓ１０３）。具体的には、管理者は、作業者からその光学的情報読取装置２０を特定するＩＰアドレス等の特定情報を聞き出し、その特定情報を基に、解析側端末１１により、通信インタフェース１６およびインターネットＮ等を介して上記光学的情報読取装置２０に接続する。なお、不読要因解決処理中では、管理者は、作業者と電話しながら不読に関する情報を交換しているものとする。
【００４７】
そして、管理者からの要求に応じて、使用者が光学的情報読取装置２０により読み取りが失敗した情報コードＣを、ViewFinder機能を有効化させた状態で撮像すると、この情報コードＣを含めたコード画像に関するデータが通信インタフェース１６等を介して取得されて、このコード画像が表示部１５にリアルタイムに表示される（Ｓ１０５）。
【００４８】
そうすると、解析者が表示部１５に表示されたコード画像を視認してその不読要因を見つけるか、表示部１５に表示されたコード画像を入力とするデコード用プログラム（デコードソフト）等を不読要因を解析するために実行することにより、不読要因が解析される（Ｓ１０７）。そして、この解析結果に応じて、その不読要因を解決するための解決情報が設定される。この段階では、上述したように、不読要因がコード画像に含まれる情報コードＣにあることが前提なので（Ｓ１０９でＹｅｓ）、上記解決情報は、情報コードの一部が修正された修正済コード情報となる。
【００４９】
このように解決情報が設定されると、表示部１５に表示された情報コードＣが上記解決情報に応じて修正される（Ｓ１１１）。具体的には、図６（Ａ）に例示するように情報コードＣの一部が欠けている場合には、解析者等により、表示部１５に表示された情報コードＣに対してその欠けている部位が、例えば、図６（Ｂ）に示すように所定の領域（図６（Ｂ）にて符号Ｓにて示す）で指摘される。そして、図６（Ｃ）に示すように修正されて、デコード可能な情報コードＣが表示部１５に表示されることとなる。
【００５０】
この場合、解析側端末１１による遠隔操作により、表示部４６には表示部１５と同じ内容が表示されており、表示部４６に表示される情報コードＣも同様に修正される。これにより、上記図６（Ｂ）に示す所定の領域が表示部４６にも表示されるので、使用者は、不読要因がコード画像に含まれる情報コードＣにあることを視認することができる。この場合、表示部４６は、特許請求の範囲に記載の「通知手段」の一例に相当し得る。
【００５１】
このとき、キー操作部４１の操作に応じて表示部４６に表示される情報コードＣを含めたコード画像の拡大・縮小や移動等によりその表示状態を調整することができる。このため、表示部４６と表示部１５とに表示範囲や解像度等の違いがあることから図７（Ａ）に例示するように表示部４６に修正された情報コードＣが好適に表示されない場合であっても、図７（Ｂ）に例示するように必要な情報コードＣの領域の一部または全部を表示部４６に好適に表示させることができる。
【００５２】
このように、表示部４６には、読み取り可能に修正された情報コードＣが表示されるので、この情報コードＣをプリンタ５０を使用して所定の用紙に印刷し、この印刷用紙に表示された情報コードＣを光学的情報読取装置２０により読み取ることで、デコードが困難とされた情報コードＣであっても確実にデコードすることができる。このように、リアルタイムで情報コードＣを修正できるので、不読要因の解析・解決を迅速に実施することができる。
【００５３】
次に、不読要因が情報コードＣではなく光学的情報読取装置２０自体にあることから当該情報コードＣのデコードが困難である場合について、図４および図８を用いて説明する。ここで、不読要因が光学的情報読取装置２０にある場合とは、例えば撮像条件、具体的には撮像時における照明光源２１からの照明光Ｌｆの照度不足や照度過剰等によりデコードできない場合などが想定される。
【００５４】
この場合でも、上述したように、受光センサ２８により撮像されたコード画像が、表示部１５にリアルタイムに表示されると（Ｓ１０５）、解析者が表示部１５に表示されたコード画像を視認してその不読要因を見つけるか、不読要因を解析するための所定のプログラムが実行されることにより、不読要因が解析される（Ｓ１０７）。
【００５５】
そして、この解析結果に応じて、その不読要因を解決するための解決情報が設定される。この段階では、上述したように、不読要因が光学的情報読取装置２０にあることが前提なので（Ｓ１０９でＮｏ,Ｓ１１３でＹｅｓ）、上記解決情報は、撮像条件、例えば、撮像時の照明光Ｌｆの照度等を変更するためのパラメータ変更情報となる。
【００５６】
このように解決情報としてパラメータ変更情報が設定されると、このパラメータ変更情報が通信インタフェース１６等を介して光学的情報読取装置２０に出力される（Ｓ１１５）。光学的情報読取装置２０では、解析側端末１１による遠隔操作により、通信インタフェース４８等を介して上記パラメータ変更情報が入力されると、このパラメータ変更情報に応じた制御回路４０による処理により、撮像条件、例えば、照明光源２１の照度等が調整される。そして、表示部４６に不読要因が撮像条件にある旨と当該不読要因が解決された旨とが表示される。これにより、使用者は、不読要因とその不読要因が解決されたことを視認することができる。なお、制御回路４０は、特許請求の範囲に記載の「撮像条件調整手段」の一例に相当し得る。
【００５７】
このように撮像条件が調整された状態で、情報コードＣを読み取ることで、デコードが困難とされた情報コードＣであっても確実にデコードすることができる。このように、リアルタイムで情報コードＣを修正できるので、不読要因の解析・解決を迅速に実施することができる。なお、上記撮像条件の調整は、基本的に使用者にその具体的な調整内容がわからないように実施される。
【００５８】
次に、不読要因が情報コードＣではなくデコード時に実行されるデコード用プログラムにあることから当該情報コードＣのデコードが困難である場合について、図４および図９を用いて説明する。
【００５９】
この場合でも、上述したように、受光センサ２８により撮像されたコード画像が、表示部１５にリアルタイムに表示されると（Ｓ１０５）、解析者が表示部１５に表示されたコード画像を視認してその不読要因を見つけるか、不読要因を解析するための所定のプログラムが実行されることにより、不読要因が解析される（Ｓ１０７）。
【００６０】
そして、この解析結果に応じて、その不読要因を解決するための解決情報が設定される。この段階では、上述したように、不読要因がデコード用プログラムにあることが前提なので（Ｓ１０９でＮｏ,Ｓ１１３でＮｏ，Ｓ１１７でＹｅｓ）、上記解決情報は、デコード用プログラムのプログラム修正情報となる。なお、不読要因がデコード用プログラムでもない場合には（Ｓ１１７でＮｏ）、不読要因が不明であるとして不読要因解決処理を終了してもよい。
【００６１】
このように解決情報としてプログラム修正情報が設定されると、このプログラム修正情報が通信インタフェース１６等を介して光学的情報読取装置２０に出力される（Ｓ１１９）。光学的情報読取装置２０では、解析側端末１１による遠隔操作により、通信インタフェース４８等を介して上記プログラム修正情報が入力されると、このプログラム修正情報に応じた制御回路４０による処理により、メモリ３５に記憶されるデコード用プログラムが書き換えられる。そして、表示部４６に不読要因がデコード用プログラムにある旨と当該不読要因が解決された旨とが表示される。これにより、使用者は、不読要因とその不読要因が解決されたことを視認することができる。なお、制御回路４０は、特許請求の範囲に記載の「プログラム修正手段」の一例に相当し得る。
【００６２】
このように書き換えられたデコード用プログラムを実行して情報コードＣを読み取ることで、デコードが困難とされた情報コードＣであっても確実にデコードすることができる。このように、リアルタイムでデコード用プログラムを修正できるので、不読要因の解析・解決を迅速に実施することができる。
【００６３】
以上説明したように、本実施形態に係るコード解析システム１０では、解析側端末１１は、光学的情報読取装置２０の受光センサ２８により撮像されているコード画像を通信インタフェース１６等を介してリアルタイムに（時間差無く）取得し、このように取得されるコード画像を表示部１５によりリアルタイムに表示する。そして、解析側端末１１は、表示部１５に表示されるコード画像に含まれる情報コードＣに基づいて当該情報コードＣのデコードが困難である場合にその不読要因を解析し、上記不読要因を解決するための解決情報を通信インタフェース１６等を介して光学的情報読取装置２０に出力する。そして、光学的情報読取装置２０は、コード画像に含まれる情報コードＣのデコードが困難である場合に、上記解決情報に応じて解析側端末１１により遠隔操作されて、当該情報コードＣをデコードする。
【００６４】
これにより、光学的情報読取装置２０にて撮像されたコード画像に含まれる情報コードＣのデコードが困難である場合には、このコード画像が解析側端末１１の表示部１５にリアルタイムに表示されるので、対象の情報コードＣまたは光学的情報読取装置２０が解析部署等に送付される場合と比較して、その不読要因を迅速に解析することができる。そして、この不読要因を解決するための解決情報が光学的情報読取装置２０に出力されて、解決情報に応じて解析側端末１１により光学的情報読取装置２０が遠隔操作されるので、解決情報に応じた不読要因の解決が迅速に実施されて、デコードが困難とされた情報コードＣであっても確実にデコードすることができる。
したがって、光学的情報読取装置２０に不読要因を解析・解決する機能を持たせることなく、不読要因を簡単な構成でリアルタイムに解析し、不読要因の解決を迅速に実施することができる。
【００６５】
また、表示部４６により、不読要因および解決情報が、当該光学的情報読取装置２０の使用者に通知されるため、当該使用者は、不読要因または解決情報の内容を迅速に認識することができる。なお、発光部４３、ブザー４４およびバイブレータ４５などを、不読要因および解決情報の少なくともいずれか１つを通知するための通知手段として使用してもよい。
【００６６】
さらに、光学的情報読取装置２０は、不読要因がコード画像に含まれる情報コードＣにあることから当該情報コードＣのデコードが困難である場合に、解決情報として情報コードＣの一部が修正された修正済コード情報に基づいて、当該情報コードＣをデコードする（図５参照）。これにより、不読要因が情報コードＣにある場合でも、修正済コード情報に基づいてデコードすることで、不読要因の解決を迅速に実施することができる。
【００６７】
さらにまた、修正済コード情報が、表示部１５に表示されたコード画像の一部を修正することで生成され、表示部４６では、解析側端末１１による遠隔操作により、修正されるコード画像がリアルタイムに表示される。これにより、表示部１５に表示されたコード画像の一部が修正されると、そのまま表示部４６に表示されるコード画像が修正されるので、不読要因やその解決情報（修正済コード情報）を当該光学的情報読取装置２０の使用者に対して迅速であって視覚的に知らせることができる。
【００６８】
また、キー操作部４１による操作により、表示部４６に表示される修正済コード情報に応じたコード画像の表示状態が調整可能である。このため、表示部１５と表示部４６とに表示範囲や解像度等の違いがあるために表示部４６に修正されたコード画像が好適に表示されない場合であっても、キー操作部４１による操作により表示部４６に表示されるコード画像の拡大・縮小や移動等によりその表示状態を調整することで、必要なコード画像の領域の一部または全部を表示部４６に好適に表示させることができる。
【００６９】
さらに、プリンタ５０により、表示部４６に表示される修正済コード情報に応じたコード画像を印刷することができる。このため、修正されたコード画像を印刷して、印刷された情報コードＣを光学的情報読取装置２０により読み取ってデコードすることで、不読要因の解決を迅速に実施することができる。
【００７０】
さらにまた、光学的情報読取装置２０は、不読要因が当該光学的情報読取装置２０にあることから情報コードＣのデコードが困難である場合に、解決情報として上記パラメータ変更情報に基づいて撮像条件を調整して、当該情報コードＣをデコードする（図８参照）。これにより、不読要因が光学的情報読取装置２０の撮像条件にある場合でも、パラメータ変更情報に基づいその撮像条件を調整してデコードすることで、不読要因の解決を迅速に実施することができる。
【００７１】
また、光学的情報読取装置２０は、不読要因がデコード時により実行されるプログラムにあることから情報コードＣのデコードが困難である場合に、解決情報としてデコード処理により実行されるプログラムの修正情報に基づいて当該プログラムを修正して、当該情報コードＣをデコードする（図９参照）。これにより、不読要因が上記プログラムにある場合でも、修正情報に基づいてプログラムを修正してデコードすることで、不読要因の解決を迅速に実施することができる。
【００７２】
なお、本発明は上記実施形態に限定されるものではなく、以下のように具体化してもよい。
（１）不読要因が光学的情報読取装置２０自体にあり撮像条件と異なりかつ遠隔操作により調整可能な条件に起因する場合には、その条件に応じて上記パラメータ変更情報を設定し、デコードが困難である場合にこのパラメータ変更情報に応じて光学的情報読取装置２０の条件を調整してもよい。
【００７３】
（２）不読要因解析時（Ｓ１０７）に、表示部１５に表示されたコード画像から、光学的情報読取装置２０の読取口を反射光Ｌｒ等が透過可能に保護するカバーに塵などが付着していることが不読要因として解析されると、その旨を使用者に連絡することで当該不読要因を解決することができる。
【符号の説明】
【００７４】
１０…コード解析システム
１１…解析側端末
１２…制御回路（解析手段，不読要因解決手段）
１４…操作部
１５…表示部（解析側表示手段）
１６…通信インタフェース（通信手段）
２０…光学的情報読取装置（読取装置）
２８…受光センサ（撮像手段）
４０…制御回路（デコード手段）
４１…キー操作部（表示状態調整手段）
４６…液晶表示器（読取側表示手段，通知手段）
４８…通信インタフェース
【図１】
2012118779.tif 000003
【図２】
2012118779.tif 000004
【図３】
2012118779.tif 000005
【図４】
2012118779.tif 000006
【図５】
2012118779.tif 000007
【図６】
2012118779.tif 000008
【図７】
2012118779.tif 000009
【図８】
2012118779.tif 000010
【図９】
2012118779.tif 000011